(57)【要約】      （修正有）【課題】補助車輪を不要とした上、展開、折り畳み動作の操作性を向上しうる折り畳みベッドのを提供する。【解決手段】就寝者の頭部を外端部で保持する寝具を載置する第１の載置枠を受ける第１のベッド支持枠体と、脚部を外端部で保持する寝具を載置する第２の載置枠を受ける第２のベッド支持枠体と、この第１、第２のベッド支持枠体の各内端部を、第１、第２のベッド支持枠体がほぼ水平となる展開状態と、逆Ｖ字に折り畳む折り畳み状態の間で展開・折り畳み可能に継ぐとともに、各外の支脚部と中間の支脚部との間に、それぞれ支持枠体、支脚部とともに平行クランク機構を構成する連結杆を傾動自在に架け渡すとともに、少なくとも一方の外の支脚部を倒動を不能とし、かつ少なくとも他方の外の支脚部は下端に設置面を転動するローラを設け、この第１、第２のベッド支持枠体に、展開状態と、折り畳み状態の間で展開・折り畳みうる折り畳み作動手段を具えた。【選択図】図１
2005152234.tif 000002
【特許請求の範囲】
【請求項１】
就寝者の頭部を外端部で保持する寝具を載置する第１の載置枠を受ける第１のベッド支持枠体と、脚部を外端部で保持する寝具を載置する第２の載置枠を受ける第２のベッド支持枠体と、この第１、第２のベッド支持枠体の各内端部を、第１、第２のベッド支持枠体がほぼ水平となる展開状態と、逆Ｖ字に折り畳む折り畳み状態の間で展開・折り畳み可能に継ぐとともに、
第１、第２のベッド支持枠体の各外端部に第１、第２の外の支脚部を、前記内端部に中間の支脚部の各上端部分を枢着し、
かつ各外の支脚部と中間の支脚部との間に、それぞれ支持枠体、支脚部とともに平行クランク機構を構成する連結杆を傾動自在に架け渡すとともに、
少なくとも一方の外の支脚部を、展開・折り畳みに際して倒動を不能とし、かつ少なくとも他方の外の支脚部は下端に、ベッド支持枠体の折り畳みとともに設置面を転動するローラを設けるとともに、
この第１、第２のベッド支持枠体に、展開状態と、折り畳み状態の間で展開・折り畳みうる折り畳み手段と、該折り畳み手段を作動する作動手段とを具えたことを特徴とする折り畳みベッド。
【請求項２】
前記倒動不能とした一方の前記外の支脚部は、下端に内外方向にのびかつ内外に位置を隔てた複数のローラを具える台軸を具えることにより倒動不能とされたことを特徴とする請求項１記載の折り畳みベッド。
【請求項３】
前記倒動不能とした一方の前記外の支脚部は、設置面に固定される宮状体であることを特徴とする請求項１記載の折り畳みベッド。
【請求項４】
前記折り畳み手段は、継ぎ部分の両側で前記第１、２のベッド支持枠体を、押し開き、又は近づけることにより、展開状態と、折り畳み状態の間で展開・折り畳みうるリンク機構を具えるとともに、前記作動手段は電動式回転機若しくは直線運動器、又は手動可能なハンドル手段であることを特徴とする請求項１〜３のいずれかに記載の折り畳みベッド。
【発明の詳細な説明】
【技術分野】
【０００１】
本発明は、不使用時に逆Ｖ字状に折り畳みしてコンパクトに収納でき、しかも折り畳み、展開の操作性に優れる折り畳みベッドに関する。
【背景技術】
【０００２】
従来から、図１６（Ａ）に示すように、第１のベッド半体ａと第２のベッド半体ｂとの向き合う内端部を折り曲げ可能に連結し、不使用時には図１６（Ｂ）に示すように、逆Ｖ字状に折り畳むことによりコンパクトに収納できる折り畳みベッドが使用されている。そして第１のベッド半体ａはその外端部に、内外方向にローラｃ、ｃを具えた逆Ｔ字状の支脚部ｄをピンｐを用いて枢着し、他方第２のベッド半体ｂ外端部の固定脚ｅの下端にローラｃを設け、中間支脚部ｇとともに展開状態の折り畳みベッドを支持している。しかし、折り畳み時、図１６（Ｂ）に示すように、支脚部ｄはピンｐを中心に回動することにより直立状態を維持するものの、固定脚ｅは水平まで傾動して、固定脚ｅに設けたローラｃは設置面ｆから浮き上がり荷重支持が不可能となる。そこで、これを補うため、前記固定脚ｅに補助車輪ｈを設けることにより折り畳み状態の第２のベッド半体ｂを支えている（例えば、特許文献１参照）。
【０００３】
しかしながら、特許文献１の、この補助車輪ｈを用いたものは構造簡易であるために製造も容易、かつ取扱性にも優れるとはいえ、第１、第２のベッド半体ａ、ｂの傾動に際して第２のベッド半体ｂの外端部に設けたローラｃから補助車輪ｈへの乗り継ぎが生じ、このためにこの円滑な乗り継ぎのための工夫が必要となる。
【０００４】
出願人は特許文献２により、図１７（Ａ）（Ｂ）に示すように、平行クランク機構ｋを用いて第１、第２の支脚部ｉ、ｊ及び中間支脚部ｇを常に垂直とし、ローラｃの乗り継ぎをすることなく、第１、第２の支脚部ｉ、ｊの下端に設けた同一のローラｃによりベッドの展開、折曲げ時に移動可能としたベッドを、バネについての機構とともに提案している。なお、このものでは、両側の支持枠部での平行クランク機構ｋにより、展開・折り畳み動作が円滑となるとともに、前記支脚部を垂直とするためには、少なくとも一方の支脚部が転倒することなく垂直を維持するように、折り畳み・展開方向に離間した複数のローラｃを具える逆Ｔ字状などとする必要がある。
【０００５】
【特許文献１】特開２００１−１２０３８７号公報
【特許文献２】特開２００３−２５９９４１号公報
【発明の開示】
【発明が解決しようとする課題】
【０００６】
ところで本出願人は電動式にベッドを展開・折り畳みしうる折り畳みベッドを特願２００３−２８１９１６号により提案し、展開・折り畳みを電動による自動化することにより、操作性を向上することを意図している。又、この提案では、折り畳みベッド自体の展開・折り畳みの構造として、図１６に示した補助車輪を具えるものの他、両側の支脚の転倒を防ぐことを前提として折り畳み・展開方向に離間した複数のローラを具える前記逆Ｔ字状の支脚部を有するもの用いる場合を例示していた。
【０００７】
本発明は、展開・折り畳み動作が円滑な平行クランク機構を具えるベッド本体と、折り畳み手段とを組合せることを基本として、展開・折り畳み動作がさらに円滑となり、かつ補助輪の前記乗り継ぎを解消して、操作感をも向上しかつ見映えの改善にも繋がる折り畳みベッドの提供を課題としている。
【課題を解決するための手段】
【０００８】
前記目的を達成するために、請求項１記載の発明は、就寝者の頭部を外端部で保持する寝具を載置する第１の載置枠を受ける第１のベッド支持枠体と、脚部を外端部で保持する寝具を載置する第２の載置枠を受ける第２のベッド支持枠体と、この第１、第２のベッド支持枠体の各内端部を、第１、第２のベッド支持枠体がほぼ水平となる展開状態と、逆Ｖ字に折り畳む折り畳み状態の間で展開・折り畳み可能に継ぐとともに、第１、第２のベッド支持枠体の各外端部に第１、第２の外の支脚部を、前記内端部に中間の支脚部の各上端部分を枢着し、かつ各外の支脚部と中間の支脚部との間に、それぞれ支持枠体、支脚部とともに平行クランク機構を構成する連結杆を傾動自在に架け渡すとともに、少なくとも一方の外の支脚部を、展開・折り畳みに際して倒動を不能とし、かつ少なくとも他方の外の支脚部は下端に、ベッド支持枠体の折り畳みとともに設置面を転動するローラを設けるとともに、この第１、第２のベッド支持枠体に、展開状態と、折り畳み状態の間で展開・折り畳みうる折り畳み手段と、該折り畳み手段を作動する作動手段とを具えたことを特徴とする。
【０００９】
また請求項２記載の発明は、前記倒動不能とした一方の前記外の支脚部は、下端に内外方向にのびかつ内外に位置を隔てた複数のローラを具える台軸を具えることにより倒動不能とされたことを特徴とする請求項１記載の折り畳みベッドであり、請求項３記載の発明は、前記倒動不能とした一方の前記外の支脚部は、設置面に固定される宮状体であることを特徴とする請求項１記載の折り畳みベッドである。
【００１０】
また請求項４記載の発明は、前記折り畳み手段は、継ぎ部分の両側で前記第１、２のベッド支持枠体を、押し開き、又は近づけることにより、展開状態と、折り畳み状態の間で展開・折り畳みうるリンク機構を具えるとともに、前記作動手段は電動式回転機若しくは直線運動器、又は手動可能なハンドル手段であることを特徴とする請求項１〜３のいずれかに記載の折り畳みベッドである。
【発明の効果】
【００１１】
本発明は叙上の如く、各外の支脚部と中間の支脚部との間に、それぞれ支持枠体、支脚部とともに平行クランク機構を構成する連結杆を傾動自在に架け渡すとともに、少なくとも一方の外の支脚部を倒動を不能とし、かつ少なくとも他方の外の支脚部は下端に設置面を転動するローラを設け、かつ第１、第２のベッド支持枠体に、展開状態と、折り畳み状態の間で展開・折り畳みうる折り畳み手段と、該折り畳み手段を作動する作動手段とを具えたので、補助車輪が不要となるため見栄えと使い勝手が向上し、また前記折り畳み手段と、該折り畳み手段を作動する作動手段の動作により、第１、第２のベッド支持枠体の展開・折り畳み動作及びこれに連動する平行クランク機構の傾動を、大きな力を要することなく操作でき、非力なユーザにおいても折り畳みベッドを簡単・安全に取り扱うことができる。
【００１２】
また請求項２記載の発明のように、一方の外の支脚部に下端に内外方向にのびかつ内外に位置を隔てた複数のローラを具えた台軸を設けると、この外の支脚部は展開・折り畳み時に傾動することなく複数のローラで折り畳みベッドを確実に支持でき、また請求項３記載の発明のように、一方の外の支脚部が設置面に固定される宮状体である場合、据え置き式の折り畳みベッドとして便利に使用できる。
【００１３】
また請求項４記載の発明のように、折り畳み手段が継ぎ部分の両側で前記第１、２のベッド支持枠体を、押し開き、又は近づけるリンク機構を具える場合、このリンク機構に係合した第１、２のベッド支持枠体はスムースに展開・折り畳み動作しうる。
【発明を実施するための最良の形態】
【００１４】
以下、本発明の実施の一形態を、図示例とともに説明する。図１は本実施形態の折り畳みベッド１の分解斜視図、図２はその平面図である。
【００１５】
本実施形態の折り畳みベッド１は、寝具１２を載置する載置枠Ｓと、この載置枠Ｓを受け、第１のベッド支持枠体Ｂ１、第２のベッド支持枠体Ｂ２が折り畳み可能に連結されたベッド支持枠体Ｂとを具えるものが例示される。
【００１６】
前記載置枠Ｓは、図３に示すように、外端部において就寝者の頭部を保持する寝具１２が載置された第１の載置枠Ｓ１と、外端部で脚部を保持する寝具１２が載置された第２の載置枠Ｓ２とからなる。そして第１の載置枠Ｓ１は、図１に示すように、パイプ材等を矩形状に結合した枠体２９ａと、この枠体２９ａが囲む空所に配された金網状の下張り材２９ｂと、補強材２９ｃとからなり、前記第１のベッド支持枠体Ｂ１にボルトなどを用いて固着されている。また、第２の載置枠Ｓ２は、第１の載置枠Ｓ１と同様に矩形状の枠体３０ａ、金網状の下張り材３０ｂ、および補強材３０ｃを含み構成され、前記第２のベッド支持枠体Ｂ２に固着されている。
【００１７】
なお前記載置枠Ｓは、図３に部分的に示すように、それぞれの下張り材（図示例では３０ｂ）の上にスポンジ、チップウレタンフォーム、その他のクッション材からなる寝具１２を固着し、さらに枠体３０ａとともにシーツ状のカバー材３８で被覆して寝具１２と一体に構成することが好ましい。
【００１８】
前記第１のベッド支持枠体Ｂ１は、枠材を例えば平面視で略コ字状ないし矩形状（本例ではコ字状）に折り曲げた主枠３１ａと、内外方向にのびる縦の補強材３１ｂ、３１ｃと、ベッド幅方向にのびる横の補強材３１ｄ、３１ｅとを一体に固着して形成される。第１のベッド支持枠体Ｂ１は、実質的にベッド長さの略半分の長さ（例えば９００〜１０００mm）をもっている。
【００１９】
また第１のベッド支持枠体Ｂ１の外端部には、一対の第１の外の支脚部２、２が、ベッドの幅方向の両側に設けられる。該第１の外の支脚部２は、図４に示すように、内外方向に水平にのびた台軸９と、該台軸９の中央から略垂直に立上がる縦軸３３とを含んで逆Ｔ字状をなし、前記台軸９は、その内外端部に各々ローラＲ、Ｒが取付けられている。また前記縦軸３３は、その上端部が、前記第１のベッド支持枠体Ｂ１の補強材３１ｂに固着された取付板３４にピンＰ１により枢着され、これにより前記第１のベッド支持枠体Ｂ１は、その外端部で第１の外の支脚部２により傾動可能に支持される。そして第１の外の支脚部２は、内外に位置を隔てて配され、台軸９の両端部に取り付けられたローラＲ、Ｒで支持されるため、ベッド支持枠体Ｂの展開・折り畳み可能に際し、倒動することなく床などの設置面Ｆ上で直立状態を維持しうる。
【００２０】
なお本形態では、第１のベッド支持枠体Ｂ１のベッドの幅方向の両側に設けられた第１の外の支脚部２、２は、その縦軸３３間に継ぎ杆３５が架け渡されたものが例示されている。このように継ぎ杆３５で縦軸３３を連結すると、第１の外の支脚部２、２が一体化して第１のベッド支持枠体Ｂ１の支持強度が安定する点で好ましい。
【００２１】
前記第２のベッド支持枠体Ｂ２は、第１のベッド支持枠体Ｂ１と同様に枠材を略コ字状に折り曲げた主枠３２ａと、内外方向にのびる縦の補強材３２ｂ、３２ｃと、ベッド幅方向にのびる横の補強材３２ｄ、３２ｅとを一体に固着して形成される。第２のベッド支持枠体Ｂ２も、ベッド長さの約半分の長さに形成されている。
【００２２】
前記第２のベッド支持枠体Ｂ２の外端部には、一対の第２の外の支脚部３、３が、ベッドの幅方向の両側に設けられる。該第２の外の支脚部３は、図５に示すように、下端部にローラＲを有する支柱状をなす。第２の外の支脚部３の上端部は、前記第２のベッド支持枠体Ｂ２の補強材３２ｂに固着された取付板３６にピンＰ２により枢着され、これにより前記第２のベッド支持枠体Ｂ２の外端部は、第２の外の支脚部３により傾動可能に支持される。なお、第２のベッド支持枠体Ｂ２の第２の外の支脚部３は、支柱状の支脚部に替え、内外端部に各々ローラＲ、Ｒを有する台軸９に縦軸３３を立設した倒れることのない逆Ｔ字状の支脚部を設けることもできる。
【００２３】
なお本形態の取付板３６は、補強材３２ｂのベッド幅方向の外側に固着されるとともに該取付板３６の前記外側に第２の外の支脚部３が配され、かつ前記第１の外の支脚部２を枢着する取付板３４は、補強材３１ｂベッド幅方向の内側に固着されるとともに該取付板３４の前記内側に第１の外の支脚部２が配される。これによりベッド支持枠体Ｂの折り畳み時、第１、第２の外の支脚部２、３が干渉するのを防止できる点で好ましい。
【００２４】
前記第１、第２のベッド支持枠体Ｂ１、Ｂ２は、図６に示すように、主枠３１ａ、３２ａの内端部３１ａｅ、３２ａｅが、間隔を隔てて向き合い、ベッドの幅方向の両側に配された（図６では一方のみを示す）連結金具３９、３９により連結されている。
【００２５】
本形態の連結金具３９は、水平な底片３９ａと、その両側で立ち上がる一対の側片３９ｂ、３９ｂとを含み、上開放の溝型状に構成されたものを例示している。また底片３９ａは、前記内端部３１ａｅ、３２ａｅを垂直下方に折り曲げ可能とするため、切り欠き部３９ｃ、３９ｃが形成される。
【００２６】
そして、第１、第２のベッド支持枠体Ｂ１、Ｂ２の内端部３１ａｅ、３２ａｅは、連結金具３９の側片３９ｂ、３９ｂ間で、内外方向に配されたピンＰ３、Ｐ４により枢支されている。これにより第１、第２のベッド支持枠体Ｂ１、Ｂ２は、図３に示すほぼ水平となり一直線上に並ぶ展開状態と、図１１に示す逆Ｖ字状の折り畳み状態との間で展開・折り畳み可能に連結される。なお設置面Ｆが傾斜し、段差を含むなどの場合、展開状態の第１、第２のベッド支持枠体Ｂ１、Ｂ２は水平姿勢からその分傾斜するが、本明細書では、この場合を含み「ほぼ水平」という。
【００２７】
また本実施形態では、第１、第２のベッド支持枠体Ｂ１、Ｂ２は、連結金具３９を介して内外方向で離間したそれぞれ別のピンＰ３、Ｐ４で支承されるが、連結金具３９を介することなく、第１、第２のベッド支持枠体Ｂ１、Ｂ２の内端部相互を同じ軸により回動可能に連結することでも良い。
【００２８】
ベッドの幅方向の両側に設けられた前記連結金具３９、３９は、結合板３７で継がれることにより一体化し、しかもこの結合板３７には中間の支脚部４が固着される。中間の支脚部４は、前記結合板３７からベッド幅方向の両側で垂下する一対の支柱部４ａ、４ａと、この支柱部４ａの下端間をベッドの幅方向にのびて継ぐ底枠部４ｂとからなる。そしてベッド支持枠体Ｂが水平状態において、底枠部４ｂが設置面Ｆに接地することにより、第１、第２の外の支脚部２、３及び中間の支脚部４でベッド荷重を支持し、使用時の安定性を高める。
【００２９】
また本形態の中間の支脚部４は、その上端部が連結金具３９を介して第１、第２のベッド支持枠体Ｂ１、Ｂ２の内端部に枢着されているが、第１、第２のベッド支持枠体Ｂ１、Ｂ２の内端部相互が同じ軸により回動可能に連結されるときは、連結金具３９を介することなくこの軸に直接枢着される。
【００３０】
前記中間の支脚部４は、第１、第２の外の支脚部２、３との間に連結杆６が架け渡されている。本形態の連結杆６は、中間の支脚部４と第１、第２の外の支脚部２、３との間に架け渡された第１、第２の連結杆６Ａ、６Ｂをとを含み構成されたものを例示し、さらに第１、第２の連結杆６Ａ、６Ｂはベッドの幅方向の両側に各々一対配置される。
【００３１】
第１、第２の連結杆６Ａ、６Ｂの内端部は、図６に示すように、中間の支脚部４にピンＰ５により枢着される。第１連結杆６Ａの外端部は、図４に示すように、第１の外の支脚部２の縦軸３３の側面に固着された取付片３３ａに枢支点３３ｂで枢着される。そして該枢支点３３ｂは、前記ピンＰ５との間隔（第１の連結杆６Ａの両枢支点の間隔）が、第１のベッド支持枠体Ｂ１と第１の外の支脚部２とを枢支するピンＰ１と、第１のベッド支持枠体Ｂ１の内端部を連結金具３９に枢支するＰ３との間隔に略等しく形成される。しかも該枢支点３３ｂは、前記ピンＰ１との間隔が、前記ピンＰ３とピンＰ５との間隔に略等しく形成される。これにより連結杆６Ａと、ピンＰ１及びピンＰ３間の第１のベッド支持枠体Ｂ１と、ピンＰ１及び枢支点３３ｂ間における第１の外の支脚部２の縦軸３３と、ピンＰ３及びピンＰ５間の中間の支脚部４とは、向合う長さが等しくしかも端部相互が枢支されているため、第１の平行クランク機構５Ａを形成する。同様に第１のベッド支持枠体Ｂ１側においても、外端部が第２の外の支脚部３の取付片３ａに枢支点３ｂで枢着された第２の連結杆６Ｂを含んで第２の平行クランク機構５Ｂが形成される。
【００３２】
これにより、図３に示すようにほぼ水平な展開状態の折り畳みベッド１が、図１１に示すように逆Ｖ字状に折り畳まれる時、第１、第２のベッド支持枠体Ｂ１、Ｂ２と第１、第２の連結杆６とは前記平行クランク機構５により、連動して傾動する。しかしながら、前記内外に位置を隔てて配されたローラＲ、Ｒで支持される第１の外の支脚部は、その縦軸３３が傾動することなく直立状態を維持する。そしてこの縦軸３３と向合い前記第１の平行クランク機構５Ａで連結された中間の支脚部４と、この中間の支脚部４に第２の平行クランク機構５Ｂで連結された第２の外の支脚部３とは、直立状態が維持されて折り畳まれる。従って、第２の外の支脚部３の下端部に形成されたローラＲは、ベッド支持枠体Ｂが折り畳まれる際、設置面Ｆ上を転動しながら第２のベッド支持枠体Ｂ２の荷重を支えることができるため、従来のように補助車輪を設ける必要がない。従って、展開状態で突出する補助車輪にユーザが体、衣服などを引っ掛けることがなく安全に使い勝手良く取り扱うことができ、しかも補助車輪により外観を損なうことがなく見栄えが向上する。
【００３３】
また本形態の折り畳みベッド１は、第１、第２のベッド支持枠体Ｂ１、Ｂ２に、折り畳み手段７と該折り畳み手段７を作動する作動手段８を具える。そして本形態の作動手段８は、電動式回転機Ｍからなるものを例示している。
【００３４】
前記電動式回転機Ｍは、例えば直流電動機であって、コントローラＣＬから電力が供給される。本例のコントローラＣＬは、例えばトランス部と、電動式回転機Ｍの制御などを行う制御部（いずれも図示省略）とを内蔵するとともに、遠隔操作用のリモコン部４０と、ＡＣ電源コードとが取り付けられている。なお電動式回転機Ｍ及びコントローラＣＬは、例えば中間の支脚部４の底枠部４ｂの上面に固着されており、該底枠部４ｂと一体となって上下に移動しうる。
【００３５】
本実施形態の折り畳み手段７は、第１のベッド支持枠体Ｂ１と第２のベッド支持枠体Ｂ２との間で前記電動式回転機Ｍの駆動により移動するスライド部４１と、一端がこのスライド部４１にかつ他端が第１のベッド支持枠体Ｂ１にそれぞれ枢着された第１のリンク片Ｌ１と、一端がこのスライド部４１にかつ他端が第２のベッド支持枠体Ｂ２にそれぞれ枢着された第２のリンク片Ｌ２とを含むものが例示される。スライド部４１は、例えば第１のベッド支持枠体Ｂ１と第２のベッド支持枠体Ｂ２との間で垂直に移動するものが採用できる。この例では、スライド部４１が、電動式回転機Ｍの駆動により回転するボールネジ軸４２に螺合したナット部４１Ａと、該ナット部４１Ａと一体で移動しうるベッド幅方向の両側に張り出した基板部４１Ｂとを含むものが例示される。
【００３６】
前記ボールネジ軸４２は、例えばウォーム軸とウォームホイールとからなる箱状の減速機Ｇを介して電動式回転機Ｍと連結されている。これにより、ボールネジ軸４２は大トルクかつ低速でその軸心回りに回動できる。またボールネジ軸４２の上端は、結合板３７の下面に固着された軸受け金具４３により回動自在に枢支されている。またボールネジ軸４２の下端を支持する減速機Ｇは、中間の支脚部４の底枠部４ｂに固着される。これにより、結合板３７と中間の支脚部４との間にスライド部４１が配されている。なおボールネジ軸４２は、ベッドの幅方向のほぼ中央に位置させることがバランスが良く望ましい。
【００３７】
前記ナット部４１Ａは、ボールを内蔵するとともに、後述のリンク片Ｌ１、Ｌ２でボールネジ軸４２との供回りを規制される。これにより、ナット部４１Ａは、ボールネジ軸４２の回動に伴って上又は下に円滑に移動できる。
【００３８】
また基板部４１Ｂは、図９に示すように、例えばベッド幅方向に横長となる略矩形の板状をなし、その４隅にはボス部４４が設けられている。前記ボス部４４は、第１のベッド支持枠体Ｂ１側に位置する左右の第１のボス部４４Ａ、４４Ａと、第２のベッド支持枠体Ｂ２側に位置する左右の第２のボス部４４Ｂ、４４Ｂとを含んでいる。各ボス部４４は、ベッド幅方向にのびる軸心を持つ取付孔が設けられている。
【００３９】
また前記第１のリンク片Ｌ１は、一端がスライド部４１の第２のボス部４４ＢにピンＰ６で回動自在に枢着され、かつ他端が第１のベッド支持枠体Ｂ１にピンＰ７にて枢着されている。第１のリンク片Ｌ１の前記他端は、本例では第１のベッド支持枠体Ｂ１の内端側に配された縦の補強材３１ｃにワッシャなどを介してピンＰ７で枢結される。このピンＰ７は、第１のベッド支持枠体Ｂ１の枢軸をなすピンＰ３よりも外側（第１の外の支脚部２側）に位置している。
【００４０】
また第２のリンク片Ｌ２は、一端がスライド部４１の第１のボス部４４ＡにピンＰ８で回動自在に枢着されかつ他端が前記第２のベッド支持枠体Ｂ２にピンＰ９にて枢着されている。第２のリンク片Ｌ２の前記他端は、本例では第２のベッド支持枠体Ｂ２の内端側に配された縦の補強材３２ｃにワッシャなどを介して前記ピンＰ９で枢結される。このピンＰ９は、第２のベッド支持枠体Ｂ２の枢軸をなすピンＰ４よりも外側（第２の外の支脚部３側）に位置している。これにより、本実施形態の第１のリンク片Ｌ１と第２のリンク片Ｌ２とは、図８に示す側面視において、第１、第２のベッド支持枠体Ｂ１、Ｂ２の継ぎ部分の両側にＸ字状に交差して配され、前記スライド部４１、ピンＰ３とピンＰ７の間の第１のベッド支持枠体Ｂ１、ピンＰ４とピンＰ９の間の第２のベッド支持枠体Ｂ２とともにリンク機構１１を形成している。
【００４１】
図８に実線で示すように、第１、第２のベッド支持枠体Ｂ１、Ｂ２を押し開いた展開状態では、第１のリンク片Ｌ１と第２のリンク片Ｌ２とは相互に鈍角をなし、リンク機構１１は展開する。また図１０に示すように、第１、第２のベッド支持枠体Ｂ１、Ｂ２を近づけた折り畳み状態では、第１のリンク片Ｌ１と第２のリンク片Ｌ２とはＶ字状をなし、リンク機構１１は折り畳まれる。なお第１のリンク片Ｌ１、Ｌ２は、いずれも金属材料からなる板状体のものを示しているが、中空のパイプ材などを用いることもできる。この場合、各リンク片Ｌ１、Ｌ２の剛性を高めつつ軽量化を図るのに役立つ。
【００４２】
また本実施形態では、第１、第２の各リンク片Ｌ１、Ｌ２が、互いに衝合するのを防止するために、図７、図９に示すように第２のボス部４４Ｂの側端面を第１のボス部４４Ａに比してベッド幅方向外側に突出させ、第１のリンク片Ｌ１を第２のリンク片Ｌ２のベッド幅方向外側に位置させたものを例示している。なお第２のベッド支持枠体Ｂ２において縦の補強材３２ｃが、第１のベッド支持枠体Ｂ１の補強材３１ｃと同じ巾方向ピッチで設けられるときには、第２のリンク片Ｌ２を適宜湾曲させることができる。ただし、このような態様に限定されるものではない。また、第１、第２のリンク片Ｌ１、Ｌ２を配することでスライド部４１は、ボールネジ軸４２との供回りが防止される。
【００４３】
また、前記ピンＰ６、Ｐ７、Ｐ８及びＰ９は、いずれも前記ピンＰ３及びＰ４と平行な軸心を持っている。またピンＰ６ないしＰ９には、本例ではネジ軸部の頭部側に平滑な円筒軸部を設けた段付きネジが用いられている。
【００４４】
以上のような電動式回転機Ｍを有する本実施形態のベッドは、例えば前記リモコン部４０がユーザによって操作される。該操作により、前記展開状態から電動式回転機Ｍを所定の向きに駆動することによりボールネジ軸４２を回動させ、ひいてはスライド部４１を下向きに移動させ得る。このスライド部４１の下向きの移動により、第１のリンク片Ｌ１は、図８に仮想線で示すように、第１のベッド支持枠体Ｂ１をピンＰ３回りで折り畳みの向きに回動させるとともに、第２のリンク片Ｌ２は、第２のベッド支持枠体Ｂ２をピンＰ４回りで折り畳みの向きに回動させる。このように電動式回転機Ｍを用いることにより、第１、第２のベッド支持枠体の展開・折り畳み動作とこれに連動する平行クランク機構の傾動を、リモコンなどの操作により自動で行うことができる。その結果お年寄りや子供といった腕力の乏しいユーザが、簡単・安全に折り畳みベッドを取り扱うことができ、使い勝手が向上する。
【００４５】
このような第１、第２のベッド支持枠体Ｂ１、Ｂ２の回動は、図１１の仮想線で示すように、第１、第２の外の支脚部２、３を近接させるとともに、各支脚部２、３との角度変化を伴いつつ行われる。そして、スライド部４１がさらに下向きに移動することにより、図１０及び図１１に実線で示すように、本実施形態では、第１、第２のベッド支持枠体Ｂ１、Ｂ２が互いに平行かつ垂直となる垂直状態まで折畳みできる。
【００４６】
また垂直状態において、電動式回転機Ｍを前記とは逆向きに駆動することにより、スライド部４１をボールネジ軸４２に対して上向きに移動させ得る。このスライド部４１の上向きの移動により、第１のリンク片Ｌ１は、第１のベッド支持枠体Ｂ１をピンＰ３回りで展開の向きに回動させるとともに、第２のリンク片Ｌ２は、第２のベッド支持枠体Ｂ２をピンＰ４回りで展開の向きに回動させる。
【００４７】
とりわけ、垂直状態から展開状態へと展開する際、本実施形態のように第１、第２のリンク片Ｌ１、Ｌ２をＸ字状に交差して配したときには、例えば図１０に示す如く、各リンク片と載置枠とのなす角度θ（図１０では第１のリンク片Ｌ１と第１のベッド支持枠体Ｂ１とのなす角度を示している。）を大きく確保することができる。このため、例えば第１のベッド支持枠体Ｂ１側において、該第１のベッド支持枠体Ｂ１をピンＰ３回りで展開させる展開力Ｆｓｉｎθを大としうる。これは電動式回転機Ｍを小型化したり、また消費電力を低減するのに役立つ。
【００４８】
また本実施形態の電動式回転機Ｍは、前記展開状態を検知しうる第１の検知具Ｄ１と、前記垂直状態を検知しうる第２の検知具Ｄ２とを含むものを例示している。
【００４９】
第１の検知具Ｄ１は、例えば図７に示すように、中間の支脚部４の底枠部４ｂに固着されたリミットスイッチ等の接触スイッチからなり、常時バネで突出方向に付勢された検出軸ｔ１を設置面Ｆ側に向けて突出させたものを示す。そして、この検出軸ｔ１は、ベッドの展開状態において、底枠部４ｂが設置面に接地する際に該設置面Ｆによって押し上げられる。これにより第１の検知具Ｄ１は、ベッドが展開状態であることを検知できる。
【００５０】
また第２の検知具Ｄ２は、例えば図７に示すように、減速機Ｇに固着された接触式スイッチであり、常時バネで突出方向に付勢された検出軸ｔ２を上向きに配している。そして、この検出軸は、図１０、図１１に示した折畳み状態において、スライド部４１の下面と当接することにより押し下げられる。これにより、第２の検知具Ｄ２は、ベッドの折畳み状態を検知できる。
【００５１】
第１、第２の検知具Ｄ１，Ｄ２の検知信号は、前記コントローラＣＬの制御部に入力される。制御部では、これらの各検知具Ｄ１、Ｄ２からの信号が入力された際に電動式回転機Ｍを停止させ折り畳み手段７による第１、第２のベッド支持枠体Ｂ１、Ｂ２の回動を止める。なお展開状態では、電動式回転機Ｍを停止させても自重により、第１、第２のベッド支持枠体Ｂ１、Ｂ２は展開状態を維持しうる。
【００５２】
また本実施形態では、スライド部４１がボールネジ軸４２を介して減速機Ｇと連係しているため、第１、第２のベッド支持枠体Ｂ１、Ｂ２側から減速機Ｇを回すのには非常に大きなトルクを要する。このため、例えば収納状態で電動式回転機Ｍを停止させたときなど、実質的に垂直状態がロックできる。なおこの実施形態では、検知具が、いずれも機械式の接触スイッチからなるが、非接触式センサなどを用いても良い。また好ましくは、電動式回転機Ｍの電流値（例えば電機子に流れるアマチュア電流）を監視する電流センサを設け、その出力を前記制御部へと入力する。制御部では、例えば電流値が一定値以上大となったときに電動式回転機Ｍの停止を行うように構成することもできる。この場合、検出スイッチの設置が不要となる。また、電動式回転機Ｍに、一定値以上のトルク（大きな負荷）が働いた場合に電動式回転機Ｍを停止させることが可能となる。従って、電流値を最適に設定することにより、いわゆる安全装置としても機能させうる。
【００５３】
前記折り畳み手段７、及びこの折り畳み手段７を作動させる作動手段８は、前記本実施形態で示すもののほか、先願の特願２００３−２８１９１６号で開示した構造のものを用いることができる。そして作動手段８は、電動式回転機Ｍのほか、内蔵した電動機の正転、逆転によりボールネジ機構を介して本体部から伸び縮み（出没）自在なロッドを具えた電動式シリンダ、油圧を用いてロッドの伸縮が制御される電動油圧シリンダ、その他の直線運動器を用いてもよい。また作動手段８は、手動により折り畳み手段７を動作するため、パンタグラフ式ジャッキ機構、ラチェット機構、手動オイルポンプなど公知の機構を採用したハンドル手段を用いることもできる。
【００５４】
なお、図３で想像線で示すように、第１、第２のベッド支持枠体Ｂ１、Ｂ２の外端部とと中間の支脚部４の間に、第１、第２のベッド支持枠体Ｂ１、Ｂ２の折り畳み動作を付勢する引張りバネ５２を架け渡すと、前記作動手段８による折り畳みを加勢して展開・折り畳み動作を円滑とし、また電動式回転機Ｍの消費電力の低下に伴ない振動、騒音を低減しうるとともに、電動式回転機Ｍなどの作動手段８を小型化できる点で好ましい。
【００５５】
叙上のように本実施形態の折り畳みベッド１は、第１、第２のベッド支持枠体Ｂ１、Ｂ２の折畳み展開動作をなしうる折り畳み手段７を作動する作動手段８を具えることにより、この作動手段８によって折畳み或いは展開動作を行うことができる。従って、第１、第２のベッド支持枠体の展開・折り畳み動作及びこれに連動する平行クランク機構の傾動を、大きな力を要することなくしかも簡単な操作によって行うことができ、その結果お年寄りや子供といった腕力の乏しいユーザにおいても折り畳みベッドを簡単・安全に取り扱うことができて使い勝手がさらに向上する。
【００５６】
図１２、１３は、他の実施形態を例示している。以下異なる内容のみを説明し、それ以外は図中に表れれた同等の構成に同じ符号を付すのみとし、説明を省略している。本形態の第１の外の支脚部２は、第１のベッド支持枠体Ｂ１の外端部で、ベッドの幅方向の両側に一対設けられる。そして該第１の外の支脚部２は、その上端部が、前記第１のベッド支持枠体Ｂ１の内外方向にのびる補強材３１ｂに固着された取付板３４にピンＰ１により枢着された縦軸３３と、該縦軸３３の下端部に固着され内外方向にのびた基板４５とを含み構成されたものを例示している。前記基板４５は、ボルト４６により床からなる設置面Ｆに固着され、これにより第１の外の支脚部２は、第１、第２のベッド支持枠体Ｂ１、Ｂ２の展開・折り畳み時に直立状態を維持しつつ、設置面Ｆに対する位置が不変に支持される。
【００５７】
第２の外の支脚部３のローラＲは、本形態では、転動方向が任意に転換しうるキャスタータイプでなく、一方向のみに転動するタイプのものを用いることでもよい。また、第１の外の支脚部２に替え、第２の外の支脚部３を設置面Ｆに固着して倒動不能としてもよい。さらに、本形態では、ベッドの展開・折り畳み動作時に、リンク機構１１によって、第１、第２のベッド支持枠体Ｂ１、Ｂ２の逆向きの傾動動作が支持される場合には、設置面Ｆと固着される第１の外の支脚部２と中間の支脚部４との間に連結杆６を設けず、第１のベッド支持枠体Ｂ１側は平行クランク機構５を省くこともできる。
【００５８】
しかして、図１３に想像線でに示すように、折り畳み手段７及び作動手段８により、第１、第２のベッド支持枠体Ｂ１、Ｂ２が水平な展開状態から逆Ｖ字状に折り畳まれると、前記第２のベッド支持枠体Ｂ２の外端部に設けられた第２の外の支脚部３は、前記平行クランク機構５により、直立状態を維持しながら前記第１の外の支脚部２に向け平行移動する。そして、このとき第２の外の支脚部３下端部に形成されたローラＲが設置面Ｆを転動することにより、第２のベッド支持枠体Ｂ２の荷重を支持する。
【００５９】
また本形態の折り畳みベッド１は、第１のベッド支持枠体Ｂ１の外端部が壁面に形成された収納部４７の内部に配され、かつ前記第１の外の支脚部２の基板４５は、収納部４７内の設置面Ｆに固着されている。従って折り畳みベッド１は、図１４（Ａ）に示すように、第１、第２のベッド支持枠体Ｂ１、Ｂ２を一直線で水平に並んだ状態に展開すると、第１のベッド支持枠体Ｂ１の外端部が収納部４７内に臨んだ位置に配置される。そして収納部４７内に設けられた棚部５１とともに、就寝、休憩などに便利に使用できる。
【００６０】
そして、未使用時には図１３に想像線で示すように、逆Ｖ字状に折り畳まれると、設置面Ｆに固定された第１の外の支脚部２側に向けて移動し、前記収納部４７内に折り畳んだ状態で収納される。さらに図１４（Ｂ）に示すように、収納部４７に設けられた扉４８を閉めることにより、周囲の壁面４９、壁収納部５０と表面を揃えることができ、コンパクトで使い勝手良く収納でき、しかも見栄えが優れる点で好ましい。
【００６１】
図１５は、更に他の実施形態を例示している。本形態の第１のベッド支持枠体Ｂ１は、その外端部が宮状体１０に枢着されている。前記宮状体１０は、両側板１０ａ、１０ａと、該両側板１０ａ、１０ａの上下端間に設けられた天板１０ｂ、底板１０ｃと、背板１０ｄとを含み箱状に構成され、更に両側板１０ａ、１０ａ間に棚板１０ｅが架け渡されている。また宮状体１０は、倒動を防ぐため、底板１０ｃが設置面Ｆに固着されている。
【００６２】
前記両側板１０ａ、１０ａ間に、第１支持軸６１、第２支持軸６２が架け渡され、該第１支持軸６１により第１のベッド支持枠体Ｂ１の外端部が枢支されている。従って、本形態の折り畳みベッド１は、宮状体１０が第１の外の支脚部２を構成している。また第２支持軸６２には、連結杆６の端部が枢支されている。
【００６３】
本形態の宮状体１０は、箱状をなすため、折り畳まれたベッド１をその内部空間に納めることが出来、未使用に見栄えよく収納ができる点で好ましい。また第１のベッド支持枠体Ｂ１に替え、第２のベッド支持枠体Ｂ２の外端部を宮状体１０に枢着することもできる。
【図面の簡単な説明】
【００６４】
【図１】本発明の一実施の形態を例示する分解斜視図である。
【図２】その平面図である。
【図３】その使用状態を例示する側面図である。
【図４】第１の外の支脚部を例示する斜視図である。
【図５】第２の外の支脚部を例示する斜視図である。
【図６】中間の支脚部を例示する斜視図である。
【図７】折り畳み手段を例示する斜視図である。
【図８】折り畳み手段の動作を説明する展開状態の側面図である。
【図９】その平面図である。
【図１０】折り畳み手段の動作を説明する折り畳み状態の側面図である。
【図１１】折り畳み動作を説明する折り畳みベッドの側面図である。
【図１２】本発明の他の実施形態を例示する平面図である。
【図１３】その折り畳み動作を説明する側面図である。
【図１４】その使用状態を例示し、（Ａ）は展開状態の斜視図、（Ｂ）は折り畳まれ収納部に収納された状態の斜視図である。
【図１５】本発明の更に他の実施形態を例示する斜視図である。
【図１６】従来例を示し、（Ａ）は展開状態の側面図、（Ｂ）は折り畳み状態の側面図である。
【図１７】他の従来例を示し、（Ａ）は展開状態の側面図、（Ｂ）は折り畳み状態の側面図である。
【符号の説明】
【００６５】
１      折り畳みベッド
Ｓ１      第１の載置枠
Ｂ１      第１のベッド支持枠体
Ｓ２      第２の載置枠
Ｂ２      第２のベッド支持枠体
２      第１の外の支脚部
３      第２の外の支脚部
４      中間の支脚部
５      平行クランク機構
６      連結杆
７      折り畳み手段
８      作動手段
９      台軸
１０      宮状体
１１      リンク機構
１２      寝具
Ｆ      設置面
Ｍ      電動式回転機
Ｒ      ローラ
【図１】
2005152234.tif 000003
【図２】
2005152234.tif 000004
【図３】
2005152234.tif 000005
【図４】
2005152234.tif 000006
【図５】
2005152234.tif 000007
【図６】
2005152234.tif 000008
【図７】
2005152234.tif 000009
【図８】
2005152234.tif 000010
【図９】
2005152234.tif 000011
【図１０】
2005152234.tif 000012
【図１１】
2005152234.tif 000013
【図１２】
2005152234.tif 000014
【図１３】
2005152234.tif 000015
【図１４】
2005152234.tif 000016
【図１５】
2005152234.tif 000017
【図１６】
2005152234.tif 000018
【図１７】
2005152234.tif 000019